(57)【要約】【課題】ノイズの影響を低減させて電波を受信できると共に、使用者が電波信号の受信中であることを認識できるような電子機器およびその制御方法を提供する。【解決手段】電子機器１は、電波信号を受信する受信部１０と、所与の情報を表示する電気泳動表示部２０と、電気泳動表示部に、表示される前記所与の情報の内容に対応づけられた駆動信号を供給する表示駆動部３０と、受信部に前記電波信号の受信を指示するとともに、表示駆動部に電気泳動表示部への前記駆動信号の供給を指示する制御部４０と、を含み、制御部は、受信部に前記電波信号の受信を指示するに先立ち、表示駆動部に、受信部が前記電波信号を受信中であることを示す表示に対応づけられた前記駆動信号の電気泳動表示部への供給を指示し、受信部が前記電波信号の受信中は、表示駆動部が前記駆動信号の供給を停止するように制御する。【選択図】図１
2010286455.tif 000002
【特許請求の範囲】
【請求項１】
所与の条件に従い電波信号を受信するとともに、所与の情報を表示する電子機器であって、
前記電波信号を受信する受信部と、
前記所与の情報を表示する電気泳動表示部と、
前記電気泳動表示部に、表示される前記所与の情報の内容に対応づけられた駆動信号を供給する表示駆動部と、
前記受信部に前記電波信号の受信を指示するとともに、前記表示駆動部に前記電気泳動表示部への前記駆動信号の供給を指示する制御部と、を含み、
前記制御部は、
前記受信部に前記電波信号の受信を指示するに先立ち、前記表示駆動部に、前記受信部が前記電波信号を受信中であることを示す表示に対応づけられた前記駆動信号の前記電気泳動表示部への供給を指示し、前記受信部が前記電波信号の受信中は、前記表示駆動部が前記駆動信号の供給を停止するように制御することを特徴とする電子機器。
【請求項２】
請求項１において、
前記表示駆動部に電源を供給する電源供給部を含み、
前記制御部は、
前記受信部が前記電波信号の受信中は、前記電源供給部に前記表示駆動部への前記電源の供給を停止するように指示することにより、前記表示駆動部が前記駆動信号の供給を停止する制御を行うことを特徴とする電子機器。
【請求項３】
請求項１乃至２のいずれかにおいて、
前記電気泳動表示部は、
少なくとも第１色及び第２色を表示可能であり、
前記電波信号の受信中であることを示す表示は、
前記第１色又は前記第２色による全画面表示であることを特徴とする電子機器。
【請求項４】
請求項１乃至２のいずれかにおいて、
前記電気泳動表示部は、
少なくとも第１色、第２色及び前記第１色と前記第２色の中間色を表示可能であり、
前記電波信号の受信中であることを示す表示は、
前記中間色による全画面表示であることを特徴とする電子機器。
【請求項５】
請求項１乃至４のいずれかにおいて、
現在時刻を計時する計時部を含み、
前記受信部は、
時刻情報を含む前記電波信号を受信し、
前記電気泳動表示部は、
前記所与の情報として前記現在時刻を表示し、
前記制御部は、
前記受信部が前記時刻情報の取得に成功したと判断した場合に、前記時刻情報に基づいて前記計時部の前記現在時刻を修正し、前記受信部が前記電波信号の受信の完了後に、前記表示駆動部が前記現在時刻の表示に対応づけられた前記駆動信号の供給を再開するように制御することを特徴とする電子機器。
【請求項６】
請求項１乃至５のいずれかにおいて、
前記電気泳動表示部は、
前記電気泳動素子を含む電気泳動表示層を、共通電極が形成された共通電極層と、前記電気泳動表示層を駆動するための駆動電極が形成された駆動電極層との間に介在させて構成された電気泳動表示パネルであって、
前記表示駆動部は、
前記共通電極に第１電位及び第２電位を繰り返す共通電極駆動パルスを供給し、
前記制御部は、
前記受信部が前記電波信号の受信中は、前記表示駆動部が前記共通電極駆動パルスの供給を停止するように制御することを特徴とする電子機器。
【請求項７】
受信部を用い電波信号を受信するとともに、表示駆動部から供給される駆動信号により電気泳動表示部に所与の情報を表示する電子機器の制御方法であって、
前記受信部に前記電波信号の受信を指示するとともに、前記表示駆動部に前記電気泳動表示部への前記駆動信号の供給を指示するステップと、
前記受信部に前記電波信号の受信を指示する場合には、前記受信部に前記電波信号の受信を指示するに先立ち、前記表示駆動部に、前記受信部が前記電波信号を受信中であることを示す表示に対応づけられた前記駆動信号の前記電気泳動表示部への供給を指示し、前記受信部が前記電波信号の受信中には、前記表示駆動部が前記駆動信号の供給を停止するように制御するステップとを含むことを特徴とする電子機器の制御方法。
【発明の詳細な説明】
【技術分野】
【０００１】
本発明は電気泳動表示装置を用いた電子機器およびその制御方法等に関する。
【背景技術】
【０００２】
電波信号を受信する電子機器、特に小型の電子機器においては、受信器と電子回路部分が狭所に集積されるため電子回路部分の信号が受信器に対して潜在的なノイズ源となりうる。そこで、電子回路を停止させてノイズの発生を抑えた上で、感度よく受信を行う方法が提案されている。例えば、特許文献１の電波時計は、液晶表示装置からのノイズの影響を低減させて電波信号を受信することができる電波時計に関するものである。これによると、液晶表示装置を停止しても差し支えがない暗状態や夜間に限って電波信号を受信することにより、受信感度に対するノイズの影響を低減させている。
【先行技術文献】
【特許文献】
【０００３】
【特許文献１】特開２００４−１０９０１６号公報
【発明の概要】
【発明が解決しようとする課題】
【０００４】
しかし、特許文献１の電波時計は、液晶表示装置を停止しているため電波受信中には液晶画面は表示部としては全く機能しない。よって電波信号の受信に適した状況は、周りが暗闇である場合に限られる。しかし、現実には電波時計の時刻表示に誤差が生じれば、日中でも手動で電波を受信させたいとの要求がある。特許文献１の電波時計において、このような使い方をした場合には、実際には電波を受信中にもかかわらず、使用者は電波時計が故障したものと誤るおそれがある。
【０００５】
本発明はこのような問題点に鑑みてなされたものであり、本発明のいくつかの態様によれば、ノイズの影響を低減させて電波を受信できると共に、使用者が電波信号の受信中であることを認識できるような電子機器およびその制御方法を提供することができる。
【課題を解決するための手段】
【０００６】
（１）本発明は、
所与の条件に従い電波信号を受信するとともに、所与の情報を表示する電子機器であって、前記電波信号を受信する受信部と、前記所与の情報を表示する電気泳動表示部と、前記電気泳動表示部に、表示される前記所与の情報の内容に対応づけられた駆動信号を供給する表示駆動部と、前記受信部に前記電波信号の受信を指示するとともに、前記表示駆動部に前記電気泳動表示部への前記駆動信号の供給を指示する制御部と、を含み、前記制御部は、前記受信部に前記電波信号の受信を指示するに先立ち、前記表示駆動部に、前記受信部が前記電波信号を受信中であることを示す表示に対応づけられた前記駆動信号の前記電気泳動表示部への供給を指示し、前記受信部が前記電波信号の受信中は、前記表示駆動部が前記駆動信号の供給を停止するように制御する。
【０００７】
本発明の電気泳動表示部は、表示駆動部から駆動信号の供給を停止された後もその表示を保持できる。そして、制御部は、電波信号の受信を受信部に指示する前に受信中であることを示す表示に対応づけられた駆動信号の供給を表示駆動部へ指示する。そのため、本発明によれば、電波信号の受信中に制御部が表示駆動部の前記駆動信号の供給を停止させても、受信中である旨を使用者に対し表示し続けることができる。
【０００８】
例えば、液晶表示画面を用いた電子機器においては、液晶表示画面への駆動信号の供給を停止しつつ画面表示を行うことはできない。そのため、特許文献１の電波時計の例では周囲が暗闇のときに画面表示を中断して電波信号を受信しなければならない。しかし、本発明では、受信中であることを示す表示により使用者に故障の疑念を抱かせることもなく、ノイズ源となりうる電気泳動表示部への駆動信号の供給を昼夜を問わずに停止させて、高感度の受信信号の受信ができる。
【０００９】
（２）この電子機器において、
前記表示駆動部に電源を供給する電源供給部を含み、前記制御部は、前記受信部が前記電波信号の受信中は、前記電源供給部に前記表示駆動部への前記電源の供給を停止するように指示することにより、前記表示駆動部が前記駆動信号の供給を停止する制御を行ってもよい。
【００１０】
本発明によれば、表示駆動部への電源の供給を停止することで駆動信号の供給を停止しても、電波信号の受信中であることを、使用者に対し表示し続けることができる。よって、表示駆動部への電源供給を行わないため、電子機器の消費電力の削減に貢献することができる。
【００１１】
（３）この電子機器において、
前記電気泳動表示部は、少なくとも第１色及び第２色を表示可能であり、前記電波信号の受信中であることを示す表示は、前記第１色又は前記第２色による全画面表示であってもよい。
【００１２】
本発明によれば、電波信号の受信中であることを示す所定の色での全画面表示において、その表示色は電気泳動表示部の画面表示の基本色である第１色又は第２色のいずれか１色であるため、表示駆動部から駆動信号の供給を長時間停止してもコントラスト低下による見映えの劣化を防ぐことができる。
【００１３】
例えば、二粒子系マイクロカプセル型の電気泳動方式では、分散液は無色透明、泳動粒子は白色又は黒色のものがある。この方式の電気泳動表示部は、白色又は黒色の２色を基本色として少なくとも２色を表示可能である。このとき、第１色として泳動粒子の一の色である白色を割り当て、第２色として黒色を割り当ててもよい。泳動粒子への電圧の印加により例えば第１色が電気泳動表示部に表示されている場合、その後に駆動信号の供給を長時間停止すると、第１色の泳動粒子の一部が、使用者が視認する電気泳動表示部の共通電極付近から電気泳動素子（マイクロカプセル）の中心部へと移動することがあり得る。その場合でも、電気泳動表示部の共通電極付近には第１色の泳動粒子がいくつも重なりあって存在するために、第１色が電気泳動表示部に表示され続ける。よって、表示駆動部から駆動信号の供給を長時間停止してもコントラスト低下による見映えの劣化を防ぐことができる。
【００１４】
（４）この電子機器において、
前記電気泳動表示部は、少なくとも第１色、第２色及び前記第１色と前記第２色の中間色を表示可能であり、前記電波信号の受信中であることを示す表示は、前記中間色による全画面表示であってもよい。
【００１５】
本発明によれば、電波信号の受信中であることを示す所定の色での全画面表示において、その表示色は中間色であるため、表示駆動部から駆動信号の供給を長時間停止しても泳動粒子の移動による色合いの変化が使用者には見えにくい。よって、見映えの悪化を防ぐことができる。
【００１６】
例えば、二粒子系マイクロカプセル型の電気泳動方式で泳動粒子は白色又は黒色であるとする。この方式の電気泳動表示部において、第１色の白色と第２色の黒色に加えて、少なくとも１つの中間色（灰色）を表示可能であるとする。
【００１７】
泳動粒子への電圧の印加により１つの中間色が電気泳動表示部に表示されている場合、その後に駆動信号の供給を長時間停止すると、前記のように泳動粒子の一部が電気泳動素子（マイクロカプセル）の中心部へと移動することがあり得る。その場合、電気泳動表示部の表示画面に色合いの変化が生じ得るが、中間色から中間色への変化であるために使用者には認識されにくい。よって、表示駆動部から駆動信号の供給を長時間停止しても見映えの悪化を防ぐことができる。
【００１８】
（５）この電子機器において、
現在時刻を計時する計時部を含み、前記受信部は、時刻情報を含む前記電波信号を受信し、前記電気泳動表示部は、前記所与の情報として前記現在時刻を表示し、前記制御部は、前記受信部が前記時刻情報の取得に成功したと判断した場合に、前記時刻情報に基づいて前記計時部の前記現在時刻を修正し、前記受信部が前記電波信号の受信の完了後に、前記表示駆動部が前記現在時刻の表示に対応づけられた前記駆動信号の供給を再開するように制御してもよい。
【００１９】
本発明によれば、例えば電波時計のような現在時刻の表示機能を有する電子機器において、電波信号に含まれる時刻情報に基づいて、前記時刻情報の取得に成功した場合に正確な時刻の表示を行うことができる。
【００２０】
（６）この電子機器において、
前記電気泳動表示部は、前記電気泳動素子を含む電気泳動表示層を、共通電極が形成された共通電極層と、前記電気泳動表示層を駆動するための駆動電極が形成された駆動電極層との間に介在させて構成された電気泳動表示パネルであって、前記表示駆動部は、前記共通電極に第１電位及び第２電位を繰り返す共通電極駆動パルスを供給し、前記制御部は、前記受信部が前記電波信号の受信中は、前記表示駆動部が前記共通電極駆動パルスの供給を停止するように制御してもよい。
【００２１】
本発明によれば、表示駆動部が共通電極駆動パルスを供給する方式の電気泳動表示パネルを用いた電子機器において、電波信号の受信の際に主要なノイズの原因となりうる共通電極駆動パルスを停止することによって、高感度の受信信号の受信ができる。
【００２２】
（７）本発明は、
受信部を用い電波信号を受信するとともに、表示駆動部から供給される駆動信号により電気泳動表示部に所与の情報を表示する電子機器の制御方法であって、前記受信部に前記電波信号の受信を指示するとともに、前記表示駆動部に前記電気泳動表示部への前記駆動信号の供給を指示するステップと、前記受信部に前記電波信号の受信を指示する場合には、前記受信部に前記電波信号の受信を指示するに先立ち、前記表示駆動部に、前記受信部が前記電波信号を受信中であることを示す表示に対応づけられた前記駆動信号の前記電気泳動表示部への供給を指示し、前記受信部が前記電波信号の受信中には、前記表示駆動部が前記駆動信号の供給を停止するように制御するステップとを含む。
【００２３】
本発明によれば、受信部に電波信号の受信を指示するに先立ち、電波信号の受信中であることを示す表示に対応づけられた駆動信号の電気泳動表示部への供給を指示し、前記受信部が前記電波信号の受信中には、表示駆動部が前記駆動信号の供給を停止するように制御する。この制御により、電波信号の受信中に表示駆動部の前記駆動信号の供給を停止させても、受信中である旨を使用者に対し表示し続けることができる。よって、受信中であることを示す表示により使用者に故障の疑念を抱かせることもなく、ノイズ源となりうる電気泳動表示部への駆動信号の供給を停止させて、高感度の受信信号の受信ができる。
【図面の簡単な説明】
【００２４】
【図１】本実施形態に係る電子機器のブロック図。
【図２】第１実施例における電波時計のブロック図。
【図３】図３（Ａ）は第１実施例における電波時計の外観を示す正面図。図３（Ｂ）は第１実施例における電波時計の内部を示す断面図。
【図４】第１実施例における制御部のフローチャート図。
【図５】図５（Ａ）、図５（Ｂ）、図５（Ｃ）は第１実施例における受信中を示す表示の例を示す図。
【図６】第１実施例における電気泳動表示部の構成を示す図。
【図７】第１実施例における電気泳動表示部の１つのセグメントの変化を示す図。
【図８】第１実施例における電気泳動表示部の１つのセグメントの変化を示す図。
【図９】第２実施例における制御部のフローチャート図。
【図１０】第２実施例における表示の変化の一例を示す図。
【図１１】図１１（Ａ）は電子機器の例である携帯電話の図。図１１（Ｂ）は電子機器の例である通信機能付き腕時計の図。図１１（Ｃ）は電子機器の例であるノートパソコンの図。
【発明を実施するための形態】
【００２５】
図１は本実施形態に係る電子機器１のブロック図である。
【００２６】
電子機器１は受信部１０を含む。受信部１０は、制御部４０からの受信制御信号４０１０の指示内容に基づき、電子機器に必要な電波信号を受信する。受信部１０は、受信した電波信号から電波信号情報１０４０を制御部４０に出力する。電波信号情報１０４０は電波信号に含まれる全ての情報であってもよいし、制御部４０が必要とする一部の情報であってもよい。なお、電波信号は、例えば短波や長波といった特定の波長に限られない。また、電波信号は電子機器１に必要な情報を含んでいるが、例えば時刻情報といった特定の情報に限られるものではない。電波信号の送信元は、例えば標準電波施設のような施設でも、他の電子機器（端末装置）でもよい。
【００２７】
電子機器１は電気泳動表示部２０を含む。電気泳動表示部２０は、表示駆動部３０からの駆動信号３０２０に従い、所与の情報を使用者に対して表示し、ユーザーインターフェースとしての役割を有する。
【００２８】
電気泳動表示部２０は電気泳動表示装置により実現できる。一般に電気泳動表示装置は、ＣＲＴやＬＣＤと比較して視認性がよく目が疲れにくいこと、曲げることができ携帯性に優れていることを特徴とする。また、電気泳動表示装置に所望の表示パターンを形成した後、共通電極やセグメント電極（又は画素電極）に与えていた電位の印加を停止することで（例えば、各電極をハイインピーダンスに設定することで）、前記表示パターンを保持することを特徴とする。
【００２９】
電気泳動表示部２０はこれらの特徴を有するが、その方式はセグメント方式であってもアクティブマトリックス方式でもよい。また、マイクロカプセル型電気泳動方式、水平移動型（In−Plane型）電気泳動方式、垂直型電気泳動方式のいずれの方式でもよいし、マイクロカプセル型の場合は二粒子系、一粒子系のいずれでもよい。
【００３０】
電子機器１は表示駆動部３０を含む。表示駆動部３０は、制御部４０からの表示駆動制御信号４０３０の指示に従い、電気泳動表示部２０へ駆動信号３０２０を供給する。駆動信号３０２０は、電気泳動表示部２０に表示される所与の情報の内容に対応づけられている。
【００３１】
電子機器１は制御部４０を含む。制御部４０は表示駆動制御信号４０３０によって、表示駆動部３０が電気泳動表示部２０へ駆動信号３０２０を供給又は停止するタイミングを制御する。また、制御部４０は受信制御信号４０１０によって、受信部１０が電波信号を受信するタイミングを制御する。制御部４０は、表示駆動制御信号４０３０と受信制御信号４０１０によって、受信部１０に電波信号の受信を指示する前に、表示駆動部３０に、受信部１０が電波信号の受信中であることを示す表示に対応づけられた駆動信号３０２０の電気泳動表示部２０への供給を指示し、受信部１０が電波信号の受信中は、表示駆動部３０が駆動信号３０２０の供給を停止するように制御する。
【００３２】
電気泳動表示部２０は、表示駆動部３０から駆動信号３０２０の供給を停止された後もその表示を保持できる。よって、制御部４０が、電波信号の受信を受信制御信号４０１０によって受信部１０に指示する前に、受信中であることを示す表示に対応づけられた駆動信号３０２０の供給を表示駆動部３０へ指示することで、電波信号の受信中に、表示駆動部３０が駆動信号３０２０の供給を停止しても、受信中であることを電気泳動表示部２０の表示によって使用者に対し表示し続けることができる。
【００３３】
よって、当該表示により使用者に故障の疑念を抱かせることもなく、ノイズ源となりうる電気泳動表示部２０への駆動信号３０２０の供給を停止させて、高感度の受信信号の受信ができる。
【００３４】
以下、電子機器として標準時刻情報を含む電波を受信する電波時計を例にとり、図１に示した電子機器の具体的な実施例について詳細に説明する。
【００３５】
（１．第１実施例）
図２は第１実施例における電波時計のブロック図である。電波時計１Ａは図１の電子機器１に対応する。
【００３６】
電波時計１Ａは、アンテナ１０６と受信回路１１０を有する受信部１０を含む。アンテナ１０６は電波時計１Ａに必要な電波信号を受信し、受信回路１１０に受信部内部信号１１２として供給する。第１実施例において、電波信号は例えば長波帯標準電波信号である。長波帯標準電波信号は時刻情報であるタイムコード１０４０Ａを含む。具体的には、タイムコード１０４０Ａには時、分、日、年、曜日などの情報が含まれる。なお、ＣＰＵ４０Ａはタイムコード１０４０Ａから適宜必要な情報を取得し、必要に応じて、電波時計１Ａが有する時、分、日、年、曜日などのデータを修正することが出来る。
【００３７】
電波時計１Ａは、ＥＰＤ（Electro Phoretic Display）パネル２０Ａを含む。ＥＰＤパネル、すなわち電気泳動表示パネル２０Ａは図１の電気泳動表示部２０に対応する。第１実施例において、ＥＰＤパネル２０Ａは例えば二粒子系のマイクロカプセル型電気泳動方式である。そして、ＥＰＤパネル２０Ａは例えばセグメント方式により時刻情報、日付情報等を表示する。
【００３８】
電波時計１Ａは、ＥＰＤ（Ele ctro Phoretic Display）ドライバ３０Ａを含む。ＥＰＤドライバ３０Ａは図１の表示駆動部３０に対応する。ＥＰＤドライバ３０Ａは、ＣＰＵ４０Ａからの表示駆動制御信号４０３０Ａの指示に従い、ＥＰＤパネル２０Ａへ駆動信号３０２０Ａを供給する。駆動信号３０２０Ａは、ＥＰＤパネル２０Ａに表示される時刻情報等の内容に対応づけられている。
【００３９】
電波時計１Ａは、ＣＰＵ４０Ａを含む。ＣＰＵ４０Ａは図１の制御部４０に対応する。ＣＰＵ４０Ａは、ＥＰＤドライバ３０Ａが駆動信号３０２０Ａを供給又は停止するタイミングを表示駆動制御信号４０３０Ａによって制御する。また、ＣＰＵ４０Ａは、アンテナ１０６が長波帯標準電波信号を受信するタイミングも受信制御信号４０１０Ａによって制御する。第１実施例では、ＣＰＵ４０Ａは受信回路１１０に対して受信の指示を行う。次に、アンテナ１０６から供給される受信部内部信号１１２が受信回路１１０に供給される。
【００４０】
電波時計１Ａは、計時部６０を含む。計時部６０により、電波時計１ＡはＥＰＤパネル２０Ａに表示される時刻情報等を計時する。計時部６０は、計時する情報を計時情報信号６０３０としてＥＰＤドライバ３０Ａに供給する。このとき、ＣＰＵ４０Ａはタイムコード１０４０Ａに基づいて、計時制御信号４０６０を用いて計時部６０が計時する情報を修正することができる。この修正によりＥＰＤパネル２０Ａには正確な時刻情報等が表示される。
【００４１】
ここで、計時情報信号６０３０はＣＰＵ４０Ａ経由でＥＰＤドライバ３０Ａに供給されてもよい。この場合には、ＣＰＵ４０Ａは計時部６０が計時する情報を計時制御信号４０６０によって修正するのではなく、計時情報信号６０３０をＣＰＵ４０Ａにおいて直接修正してからＥＰＤドライバ３０Ａに供給してもよい。
【００４２】
電波時計１Ａは、電源供給部５０と電池７０を含む。電源供給部５０は、電源である電池７０からの電源供給７０５０を受け、受信部１０、ＥＰＤパネル２０Ａ、ＥＰＤドライバ３０Ａ、ＣＰＵ４０Ａ、計時部６０に対してそれぞれ電源供給（５０１０、５０３０、５０４０、５０６０）を行う。ＣＰＵ４０Ａは電源供給制御信号４０５０によって、各電源供給の電源供給（５０１０、５０３０、５０４０、５０６０）のオン／オフを切り換えることができる。個別に機能ブロック（１０、２０Ａ、３０Ａ、４０Ａ、６０）の電源供給を停止することで、その機能ブロックからのノイズ発生を抑制したり、消費電力を低下させたりすることができる。ここで、電池７０は一次電池でもよいし、例えばリチウムイオン電池のような二次電池（蓄電池）であってもよい。第１実施例においては、電池７０は二次電池であり、太陽電池（図外）で発生した電力によって充電された電池７０は、電波時計１Ａに必要な電力を供給する。
【００４３】
第１実施例においては、ＥＰＤパネル２０Ａに表示される時刻情報等の内容はＥＰＤドライバ３０Ａから供給される駆動信号３０２０Ａに従う。ＣＰＵ４０Ａは、電波信号の受信を受信制御信号４０１０Ａによって受信回路１１０に指示する前に、受信中であることを示す表示に対応づけられた駆動信号３０２０Ａの供給を、表示駆動制御信号４０３０ＡによってＥＰＤドライバ３０Ａに指示する。その後ＣＰＵ４０Ａは、ＥＰＤドライバ３０Ａへの電源供給５０３０を停止するように、電源供給制御信号４０５０によって電源供給部５０に指示をする。これにより、駆動信号３０２０Ａの供給は停止されるが、継続して表示されるＥＰＤパネル２０Ａの表示内容によって、使用者は電波信号の受信中であることを認識することができる。
【００４４】
図３（Ａ）は第１実施例の電波時計の外観を示す正面図である。図３（Ａ）の電波時計の１２時と６時を結ぶ線に沿った断面図が図３（Ｂ）である。図３（Ｂ）のガラス１０２側が図３（Ａ）で正面図として描かれ、裏蓋１０５側は図３（Ａ）には図示されていない。図３（Ａ）又は（Ｂ）のアンテナ１０６は図２のアンテナ１０６に対応する。また、表示基板１０１はＥＰＤパネル２０Ａの全体とＥＰＤドライバ３０Ａの一部を含む。図３（Ｂ）の表示基板１０１は一部がフレキシブル基板になっており、その折り返された表示基板１０９と共に胴１０４に納められている。折り返された表示基板１０９はＥＰＤドライバ３０Ａの一部を含む。第１実施例の電波時計では、太陽電池押さえ板１０３により固定された太陽電池１００が使われ、発生した電力により二次電池（図２の７０）が充電される。回路押さえ板１０７で固定された回路ブロック１０８は、ＣＰＵ４０Ａ、計時部６０および受信回路１１０と電源供給部５０の一部を含む。
【００４５】
図３（Ａ）のような電波時計においては、アンテナ１０６が正面から見ると表示基板１０１の背後の裏蓋１０５付近に配置されている。一般に裏蓋１０５は金属製であり、裏蓋１０５を通り抜けて電波信号がアンテナ１０６に到達することは期待できない。よって、電波信号はガラス１０２、表示基板１０１、折り返された表示基板１０９を通過した電波信号をアンテナ１０６で受信することになる。小型化の要求によりアンテナ１０６の配置の自由度は少ない。よって、図３（Ａ）のような電波時計においてアンテナ１０６の電波信号の受信感度をできるだけ高める必要がある。なお、受信部に到達する電波信号の経路が限定されていることによる受信感度向上の要求は、電波時計に限らず、小型化が進む電子機器一般に当てはまる。
【００４６】
ここで、アンテナ１０６の受信感度向上のため、アンテナ１０６付近にはノイズ発生源となりうる一切の電気的配線を近づけない方法もあり得る。特にＥＰＤパネルは＋１５Ｖといった高い電圧供給を必要とすることがあり、その駆動信号はノイズ発生源となり易い。具体的な方法とは、例えば、図３（Ａ）および（Ｂ）で示される電波時計の構成において、表示基板１０１との折り返された表示基板１０９を６時方向に移動することで、１２時付近にあるアンテナ１０６からできるだけ離す方法である。このとき、表示基板１０１と折り返された表示基板１０９をつなぐ折り返し部分１０９Ａには配線が集中する。このため、折り返し部分１０９Ａはアンテナ１０６（１２時付近に存在）と対向する６時付近に配置する。
【００４７】
しかし、アンテナ１０６と表示基板１０１、１０９を物理的に離すことは、電波時計および小型の電子機器において限界がある。また、この表示基板１０１に含まれるＥＰＤパネル２０Ａを小さくすると、使用者の視認性を向上させたい要求に反することになってしまう。そのため、アンテナ１０６の電波信号の受信感度を高めるには、受信中にＥＰＤの駆動信号を停止させることが効果的である。
【００４８】
図４は第１実施例における図１の制御部４０に対応する図２のＣＰＵ４０Ａの制御を示すフローチャート図である。
【００４９】
まず、ＣＰＵ４０Ａは、受信制御信号４０１０Ａにより受信部１０に電波信号の受信を指示するに先立ち、ＥＰＤドライバ３０Ａに、受信部１０が電波信号の受信中であることを示す表示に対応づけられた駆動信号３０２０Ａの電気泳動表示パネル２０Ａへの供給を指示する（Ｓ１）。
【００５０】
そして、ＣＰＵ４０Ａは、受信部１０が電波信号の受信中は、ＥＰＤドライバ３０Ａが駆動信号３０２０Ａの供給を停止するように制御する（Ｓ２前段）。なお、ＣＰＵ４０Ａは、このように直接的に駆動信号３０２０Ａを停止させるだけでなく、電源供給制御信号４０５０によって電源供給部５０にＥＰＤドライバ３０Ａへの電源供給５０３０を停止するように指示することによって、間接的に駆動信号３０２０Ａを停止させてもよい（Ｓ２後段）。
【００５１】
その後に、ＣＰＵ４０Ａは、受信制御信号４０１０Ａにより受信部１０に電波信号の受信開始を指示する（Ｓ３）。
【００５２】
受信部１０が電波信号の受信を完了した後に、ＣＰＵ４０Ａは、駆動信号３０２０Ａの供給開始を、表示駆動制御信号４０３０ＡによってＥＰＤドライバ３０Ａに指示する（Ｓ４前段）。なお、電源供給５０３０の停止を指示して間接的に駆動信号３０２０Ａを停止させていた場合には、ＣＰＵ４０Ａは、電源供給５０３０を開始するように、電源供給制御信号４０５０によって電源供給部５０に指示をする。これにより、駆動信号３０２０Ａの供給は再開される（Ｓ４後段）。
【００５３】
ここで、受信部１０の電波信号の受信完了は、タイムコード１０４０Ａの内容から判断してもよいし、タイムコード１０４０Ａに付加して受信完了を示すフラグを受信部１０に含まれる受信回路１１０がＣＰＵ４０Ａへ供給してもよいし、これらの手法に限られない。
【００５４】
図５（Ａ）、図５（Ｂ）、図５（Ｃ）は第１実施例における受信中を示す表示の例を示す図である。
【００５５】
図５（Ａ）、図５（Ｂ）、図５（Ｃ）において、２０１Ａ、２０１Ｂ、２０１Ｃは通常時、すなわち電波信号の受信を行わないときのＥＰＤパネルの表示画面を表す。図４のステップＳ１により、通常時の画面２０１Ａ、２０１Ｂ、２０１Ｃはそれぞれ画面２０２Ａ、２０２Ｂ、２０２Ｃへと変化し、図４のステップＳ２およびＳ３において画面２０２Ａ、２０２Ｂ、２０２Ｃが保持される。
【００５６】
第１実施例においては、通常時の画面２０１Ａ、２０１Ｂ、２０１Ｃはそれぞれ現在時刻表示を示している。
【００５７】
画面２０２Ａは、電波信号の受信中であることを示す表示の１つである。画面２０２Ａは、時刻表示を非表示にすると共に、使用者に故障との誤解を与えないように電波信号の受信中であるメッセージ（receive）を示している。ここで、前記電波信号の受信中であるメッセージに代えて、もしくは追加して、例えばアンテナ型のアイコンなどのマーク、特定の記号、図形や絵等を表示していてもよい。
【００５８】
画面２０２Ｂは、電波信号の受信中であることを示す表示の別の例である。時刻表示を通常の表示位置とは異なる場所にＳＴＡＲＴの文字を付した時刻を表示すると共に、使用者に故障との誤解を与えないように電波信号の受信中であるメッセージ（receive）を示している。画面２０２Ｂの表示中は駆動信号３０２０Ａの供給は停止されている（図４のＳ２）ため、当該時刻表示は正確な現在時刻を示すものではない。しかし、ＳＴＡＲＴの文字により現在時刻と誤解することなく、使用者は電波信号の受信開始時刻が１４：００であることを認識することができる。従って、使用者は、この電波時計が電波信号の受信状態になってからの経過時間を感覚的に、又はこの電波時計１Ａ以外の機器による現在時刻情報と比較することによってある程度正確に知ることができる。ここで、画面２０２ＢのＳＴＡＲＴの文字は、別の文字、記号、図形等であってもよいし、状況に応じて別の文字、記号、図形等へと変化してもよい。例えば、電波時計における電波信号の受信方法には、毎日同時刻に受信を行う定時受信や使用者の指示により時間によらず受信を行う強制受信がある。したがって、これらを区別するため、受信の態様に応じてＳＴＡＲＴの文字に代えて、「定時受信」又は「強制受信」の文字が表示されてもよい。
【００５９】
画面２０２Ｃは、電波信号の受信中であることを示す表示のさらに別の例である。使用者に対して故障との誤解を与えないためには、時刻表示を非表示にすると共に、所定の１つの表示色の画面によって電波信号の受信中である旨を使用者に知らせればよい。これにより、メッセージ（receive）がなくても使用者は電子機器の故障といった懸念を抱くことなく、電波信号の受信中である旨を明確に知ることができる。
【００６０】
図６は第１実施例におけるＥＰＤパネル２０Ａの構成を示す図である。図６はＥＰＤパネル２０Ａの断面図である。電気泳動素子２６０は、透明な共通電極２１０や対向基板２２０を通して使用者が視認する。すなわち、図３（Ｂ）の断面図のガラス１０２の側に共通電極２１０や対向基板２２０が存在する。なお、図３（Ｂ）では、ＥＰＤパネル２０Ａは表示基板１０１に含まれている。
【００６１】
図６のＥＰＤパネル２０Ａは、概して、電気泳動素子２６０を含む電気泳動表示層２７０を、共通電極２１０が形成された共通電極層２８０と、電気泳動表示層２７０を駆動するためのセグメント電極（駆動電極）２１１Ａ、２１１Ｂ、２１１Ｃ、２１１Ｄが形成された駆動電極層２９０との間に介在させて構成されている。その他に、基板２２１とガラスや樹脂等の透明性材料からなる対向基板２２０が対向配置されている。
【００６２】
図６のＥＰＤパネル２０Ａにおいて、基板２２１側には複数の分割電極を構成するセグメント電極（駆動電極）２１１Ａ、２１１Ｂ、２１１Ｃ、２１１Ｄが置かれ、対向基盤側には光透過率が高く電気抵抗が低いITO（Indium Tin Oxide）等の透明伝導材料からなる共通電極２１０が配置されている。セグメント電極２１１Ａ、２２１Ｂ、２２１Ｃ、２２１Ｄと共通電極２１０の間には帯電した泳動粒子を含有する電気泳動素子（マイクロカプセル）２６０が挟まれて配置されている。電気泳動素子２６０にはプラスに帯電した泳動粒子である白粒子２６１とマイナスに帯電した泳動粒子である黒粒子２６２が封入されている。ＥＰＤパネル２０Ａは、ＥＰＤドライバ３０Ａから出力される駆動信号３０２０Ａが印加されることで情報表示内容が変更あるいは維持される。表示される情報に応じた駆動信号３０２０Ａは、共通電極２１０およびセグメント電極２１１Ａ、２１１Ｂ、２１１Ｃ、２１１Ｄに印加される。図６の例では、共通電極２１０より低い電位がセグメント電極２１１Ａおよび２１１Ｃに印加され、共通電極２１０より高い電位がセグメント電極２１１Ｂおよび２１１Ｄに印加されている。このとき各セグメント電極２１１Ａ、２１１Ｂ、２１１Ｃ、２１１Ｄと共通電極２１０の間に電界が生じ、電気泳動素子２６０内部の白粒子２６１は相対的に電位がマイナス側の電極の方向に移動し、黒粒子２６２は相対的に電位がプラス側の電極の方向に移動する。
【００６３】
ここで、ＥＰＤパネル２０Ａは少なくとも２色を表示可能である。すなわち、第１色としてプラスに帯電した泳動粒子２６１の白色を、第２色としてマイナスに帯電した泳動粒子２６２の黒色の表示が可能である。よって、電波信号の受信中であることを示す表示として用いられる所定の１つの表示色として、前記第１色又は第２色を割り当てることができる。なお、帯電した泳動粒子の色は白と黒に限られず、青や黄色など様々な色があり得る。その場合にもプラスに帯電した泳動粒子の色を第１色または第２色として割り当て、マイナスに帯電した泳動粒子の色を他の色としてもよい。なお、第１色又は第２色に割り当てられるのは泳動粒子の色に限らない。例えば、一粒子系の電気泳動方式においては、第１色として泳動粒子の色を、第２色として着色液（分散媒）を割り当ててもよい。
【００６４】
図６において、電界の発生（電極への電位の印加）を停止した場合でも、ＥＰＤパネル２０Ａの特性から表示は保持される。しかし、長時間電位への印加を行わなければ帯電した泳動粒子が電気泳動素子２６０の中心部分に引き戻される現象が生じることが経験的に知られている。電波信号の受信中を使用者に示す画面においては電極への電位の印加は停止しているが（図４のＳ２）、長時間経過した場合、ＥＰＤパネル２０Ａの表示のコントラスト低下が問題となり得る。この場合でも、帯電した泳動粒子の色の１つを表示色として電波信号の受信中であることを示すならば、コントラスト低下による見映えの劣化を防ぐことができる。なぜならば、使用者が画像表示として視認する共通電極２１０付近には所定の１つの表示色を有する泳動粒子がいくつも重なりあって存在するため、いくつかの帯電した泳動粒子が電気泳動素子２６０の中心部分に引き戻されても使用者は依然として所定の１つの表示色からなる画像を認識できるからである。
【００６５】
図７は第１実施例における電気泳動表示部の１つのセグメントの変化を示す図である。第１実施例におけるＥＰＤドライバ３０Ａは、以下のように共通電極とセグメント電極（駆動電極）を駆動信号３０２０Ａにより駆動することによって、ＥＰＤ表示部２０Ａの画面表示を行う。なお、アクティブマトリックス方式のＥＰＤ表示部２０Ａの場合においては、セグメント電極ではなく画素電極となるが、同様の制御方法が適用できる。ここでは、図６のセグメント電極２１１Ａ、２１１Ｂ、２１１Ｃ、２１１Ｄのうち、２１１Ｂを例として説明する。
【００６６】
時間ｔ１において、このセグメントは低反射率Ｒ１の状態にあるとする。このとき、使用者にはマイナスに帯電した泳動粒子である黒粒子２６２の色（第２色）が示されている。次に時刻ｔ３になるまで、ＥＰＤドライバ３０Ａは第１電位（図７中段の図の印加電位Ｌ）と第２電位（図７中段の図の印加電位Ｈ）を繰り返す共通電極駆動パルス（図７中段の図）をＥＰＤパネル２０Ａの共通電極２１０に印加する。また、同時に、時刻ｔ３になるまで、ＥＰＤドライバ３０Ａは第２電位をＥＰＤパネル２０Ａのセグメント電極２１１Ｂに印加する（図７下段の図）。すると、共通電極駆動パルスが第１電位のときに、共通電極２１０とセグメント電極２１１Ｂの間に電界が生じ、プラスに帯電した泳動粒子である白粒子２６１は共通電極２１０側に、マイナスに帯電した泳動粒子である黒粒子２６２はセグメント電極２１１Ｂ側に移動する。時刻ｔ３の時点で、このセグメントは高反射率Ｒ２の状態に変化している。このとき、使用者にはプラスに帯電した泳動粒子である白粒子２６１の色（第１色）が示されている。時刻ｔ３以後、ＥＰＤドライバ３０Ａは共通電極２１０、およびセグメント電極２１１Ｂに対する共通電極駆動パルス、第２電位の印加を停止して、駆動信号３０２０Ａはハイインピーダンス状態（Ｈｉ−Ｚ）となってもよい。その後もＥＰＤパネル２０Ａの特性から、このセグメントは高反射率Ｒ２の状態をしばらく保持する。
【００６７】
ここでは、説明の都合上１つのセグメント表示の変化について駆動信号３０２０Ａとの関連を示したが、ＥＰＤパネル２０Ａの各セグメントに対して同様の電圧印加制御を行えば所定の１つの表示色により電波信号の受信中である旨を示す画面表示が可能となる。
【００６８】
図８は第１実施例における電気泳動表示部の１つのセグメントの変化を示す別の図である。図７の場合と比べると、ＥＰＤドライバ３０Ａによる共通電極駆動パルス、第２電位の印加は、時刻ｔ３より前の時刻ｔ２で終了している。そのため、低反射率Ｒ１と高反射率Ｒ２の中間の反射率Ｒ３で表される表示色、すなわち黒粒子２６２の色（第２色）と白粒子２６１の色（第１色）の間の中間色を表示する。このように、ＥＰＤドライバ３０Ａが共通電極２１０、およびセグメント電極２１１Ｂに対する共通電極駆動パルス、第２電位を印加する時間を調整することで、所望の中間色を表示できる。また、ＥＰＤパネル２０Ａの各セグメントに対して同様の電圧印加制御を行えば所定の１つの中間色により電波信号の受信中である旨を示す画面表示が可能となる。
【００６９】
電波信号の受信を示す所定の１つの表示色による表示が第１色又は第２色の間の中間色である場合にも、駆動信号３０２０Ａの供給を長時間停止すると、泳動粒子のうちいくらかが電気泳動表示部の表面付近から離れて移動することがあり得る。このとき、電気泳動表示部に表示の色合いは変化が生じ得るが、中間色から中間色への変化であるために使用者には認識されにくい。よって、表示駆動部から駆動信号の供給を長時間停止しても見映えの悪化を防ぐことができる。
【００７０】
ここで、第１実施例においてＥＰＤドライバ３０Ａからの駆動信号３０２０Ａは各セグメントに対する電圧印加と共通電極駆動パルスである。共通電極駆動パルスは、ＧＮＤレベルに対応する第１電位（図７・図８の印加電位Ｌ）と第２電位（図７・図８の印加電位Ｈ）の２つの電位によるＥＰＤパネル２０Ａの駆動制御が可能である。しかし、第２電位は例えば＋１５Ｖという、液晶と比べると高い電圧を用いることがある。この場合、共通電極駆動パルスは電波信号を受信する際に、最も懸念されるノイズ源と成り得る。よって、ＥＰＤドライバ３０Ａが、共通電極２１０に第１電位及び第２電位を繰り返す共通電極駆動パルスを供給する場合、ＣＰＵ４０Ａは、受信部１０が電波信号の受信中は、ＥＰＤドライバ３０Ａが前記共通電極駆動パルスの供給を停止するように制御してもよい。
【００７１】
これにより、電波信号の受信の際に主要なノイズの原因となりうる共通電極駆動パルスを停止することによって、高感度の受信信号の受信ができる。
【００７２】
（２．第２実施例）
図９は第２実施例における制御部のフローチャート図である。
【００７３】
第２実施例の電波時計も図２と同様の構成である。また、第２実施例の説明においても第１実施例と同じ要素には図２、図５、図６と同じ番号を付して説明する。そして、図９のステップのうち、図４と共通のものには同じ番号を付しており説明は省略する。
【００７４】
第２実施例においては、電波信号は長波帯標準電波信号である。ＣＰＵ４０Ａは、図４のステップＳ１、Ｓ２、Ｓ３を実行する。その後、ＣＰＵ４０Ａは受信部１０の受信回路１１０からタイムコード１０４０Ａを取得し、正しく標準時刻情報を得られたかを判断する（Ｓ３０）。ＣＰＵ４０Ａは、受信部１０が標準時刻情報の取得に成功したと判断した場合に、標準時刻情報に基づいて、計時制御信号４０６０を用いて、計時部６０の現在時刻情報を修正する（Ｓ３１）。
【００７５】
そしてＣＰＵ４０Ａは、受信部１０が長波帯標準電波信号の受信の完了後に、ＥＰＤドライバ３０Ａが現在時刻の表示に対応づけられた駆動信号３０２０Ａの供給を再開するように制御する（Ｓ４）。このとき、計時部６０が計時する現在時刻情報が修正されていれば（Ｓ３１）、駆動信号３０２０Ａの供給の再開後には標準時刻情報を反映した計時情報信号６０３０により正確な現在時刻がＥＰＤパネル２０Ａに表示される。
【００７６】
図１０は第２実施例における表示の変化を示す図である。
【００７７】
通常時、すなわち電波信号の受信を行わないときのＥＰＤパネル２０Ａの画面は２０１Ｄの通りである。この例においては、電波信号の受信前の正確な時刻は１４：３５であり、電波時計１Ａは３５分の遅れを生じ、誤って１４：００と計時されているものとする。図９のステップＳ１により、使用者に電波信号の受信を知らせる画面である２０２Ｄへと変化する。２０２Ｄの画面は図９のステップＳ４の開始まで表示され続ける。ここで、２０２Ｄにおいては電波信号の受信中であるメッセージ（receive）に代えて、もしくは追加して、例えばアンテナ型のアイコンなどのマーク、特定の記号、図形や絵等を表示していてもよい。
【００７８】
ＣＰＵ４０Ａは、ＥＰＤドライバ３０Ａに画面２０２Ｄに対応する駆動信号３０２０Ａを表示させつつ図９のＳ３０の判定を行う。成功判断に確実性をもたせるために２つの標準時刻情報を比較する手順を含めると、長波帯標準電波信号では１分間毎に情報が更新されるため最低でも２分、すなわち約３分の時間を要する。
【００７９】
成功したと判断した場合には、計時部６０の現在時刻情報が修正され（図９のＳ３１）、成功判断に要した時間３分を含めた現在の正確な時刻１４：３８が表示される（図１０の２０３）。このとき、成功したことを使用者に知らせるメッセージ（success）が表示されてもよい。
【００８０】
また、標準時刻情報を取得できなかった場合には、ＣＰＵ４０Ａによる修正がないため、計時部６０の電波信号受信前からの現在時刻情報が表示される（図１０の２０４）。このとき、標準時刻情報を取得できなかったことを示すメッセージ（failed）が表示されてもよい。
【００８１】
第２実施例では第１実施例の効果に加えて、電波信号に含まれる時刻情報に基づいて、前記時刻情報の取得に成功した場合に正確な時刻の表示を行うことができるとの効果がある。
【００８２】
（３．その他の電子機器の例）
図１１（Ａ）、図１１（Ｂ）、図１１（Ｃ）はその他の電子機器の例を示す図である。前記第１実施例又は第２実施例のＥＰＤパネル２０Ａは例えば、図１１（Ａ）、図１１（Ｂ）、図１１（Ｃ）のような電子機器の一部であってもよい。ＥＰＤパネル２０Ａは、例えば、携帯電話１０００Ａ、通信機能付腕時計１０００Ｂ、又はノートパソコン１０００Ｃの表示パネル１０２０として使用される。これらの電子機器は制御部を含み、制御部が、電波信号の受信を受信部に指示する前に、受信中であることを示す表示に対応づけられた駆動信号の供給を表示駆動部へ指示することで、電波信号の受信中に、表示駆動部が前記駆動信号の供給を停止しても受信中であることを、使用者に対し表示し続けることができる。このとき、受信中であることを示す表示により使用者に故障の疑念を抱かせることもなく、ノイズ源となりうる電気泳動表示部への駆動信号の供給を昼夜を問わずに停止させて、高感度の受信信号の受信ができる。
【００８３】
本発明は、実施の形態で説明した構成と実質的に同一の構成（例えば、機能、方法および結果が同一の構成、あるいは目的および効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００８４】
１…電子機器、１Ａ…電波時計、１０…受信部、２０…電気泳動表示部、２０Ａ…ＥＰＤパネル（電気泳動表示パネル）、３０…表示駆動部、３０Ａ…ＥＰＤドライバ、４０…制御部、４０Ａ…ＣＰＵ、５０…電源供給部、６０…計時部、７０…電池、１００…太陽電池、１０１…表示基板、１０２…ガラス、１０３…太陽電池押さえ板、１０４…胴、１０５…裏蓋、１０６…アンテナ、１０７…回路押さえ板、１０８…回路ブロック、１０９…折り返された表示基板、１０９Ａ…折り返し部分、１１０…受信回路、１１２…受信部内部信号、２０１Ａ・２０１Ｂ・２０１Ｃ・２０１Ｄ…通常表示、２０２Ａ・２０２Ｂ・２０２Ｃ・２０２Ｄ…電波信号の受信中であることを示す表示、２０３…時刻情報取得の成功時の表示、２０４…時刻情報取得の失敗時の表示、２１０…共通電極、２１１Ａ・２１１Ｂ・２１１Ｃ・２１１Ｄ…セグメント電極（駆動電極）、２２０…対向基板、２２１…基板、２６０…電気泳動素子（マイクロカプセル）、２６１…白粒子、２６２…黒粒子、２７０…電気泳動表示層、２８０…共通電極層、２９０…駆動電極層、１０００Ａ…携帯電話、１０００Ｂ…通信機能付腕時計、１０００Ｃ…ノートパソコン、１０２０…表示パネル、１０４０…電波信号情報（時刻情報）、１０４０Ａ…タイムコード、３０２０・３０２０Ａ…駆動信号、４０１０・４０１０Ａ…受信制御信号、４０３０・４０３０Ａ…表示駆動制御信号、４０５０…電源供給制御信号、４０６０…計時制御信号、５０１０・５０３０・５０４０・５０６０…電源供給、６０３０…計時情報信号、７０５０…電源供給
【図１】
2010286455.tif 000003
【図２】
2010286455.tif 000004
【図３】
2010286455.tif 000005
【図４】
2010286455.tif 000006
【図５】
2010286455.tif 000007
【図６】
2010286455.tif 000008
【図７】
2010286455.tif 000009
【図８】
2010286455.tif 000010
【図９】
2010286455.tif 000011
【図１０】
2010286455.tif 000012
【図１１】
2010286455.tif 000013